(57)【要約】【課題】相手コネクタとの係合部分となる弾性係合アーム、および、コネクタハウジングとリアホルダとの係合箇所が損傷することを防ぐことができ、しかも、端子収容室に端子をスムーズに挿入することがでるコネクタを提供すること。【解決手段】コネクタ嵌合相手となる相手コネクタ１００に係合する部分となる弾性係合アーム１４を含み、かつ、端子収容室１２を備えたコネクタハウジング１０と、リアホルダ３０と、とを有するコネクタ１において、コネクタハウジング１０は、ハウジング側係合部１３に対して嵌合方向に略直交方向にずれた位置からリアホルダ３０に比して嵌合方向後方位置に突出することによって嵌合方向に向けて押圧操作可能な押圧操作用後端面２０ａを形成し、かつ、電線Ｗが弾性係合アーム１４に接触することを阻止しつつ、押圧操作用後端面２０ａ側から端子収容室１２内に端子Ｃを誘導する面となる端子誘導面２１ａを形成した後方延在部２０を有する。【選択図】図１
2017016963.tif 000002
【特許請求の範囲】
【請求項１】
コネクタ嵌合相手となる相手コネクタに係合する部分となる弾性係合アームを含み、かつ、内部に端子付き電線の端子を収容する端子収容室を備えたコネクタハウジングと、前記コネクタハウジングに設けたハウジング側係合部に係合するホルダ側係合部を係合することによって、前記相手コネクタとの嵌合方向後端側の位置で前記コネクタハウジングに結合するリアホルダと、とを有するコネクタにおいて、
前記コネクタハウジングは、
前記ハウジング側係合部に対して嵌合方向に略直交方向にずれた位置から前記リアホルダに比して嵌合方向後方位置に突出することによって嵌合方向に向けて押圧操作可能な押圧操作用後端面を形成し、かつ、前記端子付き電線の電線が前記弾性係合アームに接触することを阻止しつつ、前記押圧操作用後端面側から前記端子収容室内に前記端子を誘導する面となる端子誘導面を形成した後方延在部
を有することを特徴とするコネクタ。
【請求項２】
前記後方延在部は、
前記端子収容室の内壁面を嵌合方向後方に向けて延在した延在壁を有し、
前記端子誘導面は、
前記延在壁の前記内壁面に連続する面に形成し、
前記弾性係合アームは、
前記延在壁の前記端子誘導面に対して裏側であって、前記コネクタハウジングの外表面に嵌合方向後方に先端を向けるようにアーム状に突設した弾性アームを有し、該弾性アームを弾性的に撓ませることによって前記相手コネクタとの係合解除操作ができるように、前記弾性アームに係合解除用の冶具を挿通する冶具挿通孔を形成した前記係合解除操作部を設け、
前記後方延在部は、
前記弾性アームを、前記係合解除操作部からさらに嵌合方向後方に向けて延在した部分によって、前記係合解除用の冶具を、前記押圧操作用後端面側から前記冶具挿通孔までガイドする冶具ガイド面を形成した冶具ガイド部を有する
ことを特徴とする請求項２に記載のコネクタ。
【発明の詳細な説明】
【技術分野】
【０００１】
本発明は、コネクタ嵌合相手となる相手コネクタとの嵌合方向後端側の位置でコネクタハウジングに結合するリアホルダを有するコネクタに関する。
【背景技術】
【０００２】
従来、例えば、自動車に配索するワイヤハーネスに用いるコネクタは、自動車部品の設置場所の小スペース化の流れに伴って、相手コネクタとのコネクタ嵌合作業を手の入り難い狭い空間で行わなければならないことがある。
このため、相手コネクタとの嵌合方向後端側の位置でコネクタハウジングに結合することによって、コネクタハウジングからの端子の抜け止め機能をなすリアホルダを利用して相手コネクタとのコネクタ嵌合作業をやり易くするようにしている。
【０００３】
ところで、リアホルダを利用して相手コネクタとのコネクタ嵌合作業を行った場合、リアホルダに外力が負荷され、リアホルダとコネクタハウジングとの係合箇所に応力が集中することによって、係合箇所が損傷するおそれがあった。
このため、例えば、特許文献１には、コネクタハウジングとリアホルダとの係合箇所での応力集中を回避するようにしたコネクタが記載されている。
【０００４】
特許文献１に記載されたコネクタは、コネクタハウジングとリアホルダとの結合状態において、リアホルダは結合用壁の間に取付けられ、各結合用壁は、係合孔に嵌合する係合突起と、結合用壁の周縁に当接する当接突起とで係合することによって、複数の係合箇所で係合することができ、これによって、コネクタハウジングとリアホルダとの係合箇所での応力集中を回避するようにしている。
【０００５】
また、このようなコネクタは、コネクタ嵌合相手となる相手コネクタに係合する部分となる弾性係合アームを含み、かつ、内部に端子付き電線の端子を収容する端子収容室を備えたコネクタハウジングが多く用いられる。この弾性係合アームについては、端子付き電線の電線が弾性係合アームに引っ掛かり易く、結果的に、弾性係合アームを損傷してしまうおそれがあった。
このため、特許文献２には、ロックアーム（弾性係合アーム）に電線が引っ掛かることを防止することが可能なコネクタが記載されている。
【０００６】
特許文献２記載されたコネクタは、ロックアーム（弾性係合アーム）と電線引出面との間に位置して後方へ突出する突片を有し、突片の後端がロックアーム（弾性係合アーム）の後端及び電線引出面よりも後方に位置するようになっている。これによって、電線が突片と干渉することによってロックアーム（弾性係合アーム）側への周り込みを阻止されるようになっている。
【先行技術文献】
【特許文献】
【０００７】
【特許文献１】特開２００７−２２７２４９号公報
【特許文献２】特開２０１３−２４６９１５号公報
【発明の概要】
【発明が解決しようとする課題】
【０００８】
しかしながら、特許文献１に記載されたコネクタは、相手コネクタとのコネクタ嵌合のためにコネクタを嵌合方向に押し込む際、コネクタハウジングの後端部から後方に突出するリアホルダに冶具等を押し当てて押し込むため、係合箇所に負荷される荷重が分散されるように構成されているものの、係合箇所に荷重がかかり易く、結果的に、係合箇所を損傷してしまうおそれがあった。
また、特許文献２に記載されたコネクタは、ロックアーム（弾性係合アーム）を保護する壁となる突起部が端子の挿入口側に迫り出しているため、端子収容室に端子を挿入する際に邪魔となり、端子をスムーズに挿入し難くなってしまうという問題があった。
【０００９】
本発明は、上記に鑑みてなされたものであって、相手コネクタとの係合部分となる弾性係合アーム、および、コネクタハウジングとリアホルダとの係合箇所が損傷することを防ぐことができ、しかも、端子収容室に端子をスムーズに挿入することがでるコネクタを提供することを目的とする。
【課題を解決するための手段】
【００１０】
上述した課題を解決し、目的を達成するために、本発明の請求項１に係るコネクタは、コネクタ嵌合相手となる相手コネクタに係合する部分となる弾性係合アームを含み、かつ、内部に端子付き電線の端子を収容する端子収容室を備えたコネクタハウジングと、前記コネクタハウジングに設けたハウジング側係合部に係合するホルダ側係合部を係合することによって、前記相手コネクタとの嵌合方向後端側の位置で前記コネクタハウジングに結合するリアホルダと、とを有するコネクタにおいて、前記コネクタハウジングは、前記ハウジング側係合部に対して嵌合方向に略直交方向にずれた位置から前記リアホルダに比して嵌合方向後方位置に突出することによって嵌合方向に向けて押圧操作可能な押圧操作用後端面を形成し、かつ、前記押圧操作用後端面側から前記端子収容室内に前記弾性係合アームとの前記端子付き電線の電線の接触を阻止するように前記端子を誘導する面となる端子誘導面を形成した後方延在部を有することを特徴とする。
【００１１】
また、本発明の請求項２に係るコネクタは、上記の発明において、前記後方延在部は、前記端子収容室の内壁面を嵌合方向後方に向けて延在した延在壁を有し、前記端子誘導面は、前記延在壁の前記内壁面に連続する面に形成し、前記弾性係合アームは、前記延在壁の前記端子誘導面に対して裏側であって、前記コネクタハウジングの外表面に嵌合方向後方に先端を向けるようにアーム状に突設した弾性アームを有し、該弾性アームを弾性的に撓ませることによって前記相手コネクタとの係合解除操作ができるように、前記弾性アームに係合解除用の冶具を挿通する冶具挿通孔を形成した前記係合解除操作部を設け、前記後方延在部は、前記弾性アームを、前記係合解除操作部からさらに嵌合方向後方に向けて延在した部分によって、前記係合解除用の冶具を、前記押圧操作用後端面側から前記冶具挿通孔までガイドする冶具ガイド面を形成した冶具ガイド部を有することを特徴とする。
【発明の効果】
【００１２】
本発明の請求項１に係るコネクタは、前記押圧操作用後端面が、前記ハウジング側係合部に対して嵌合方向に略直交方向にずれた位置から前記コネクタハウジングに結合した前記リアホルダに比して嵌合方向後方に突出しているので、前記押圧操作用後端面に嵌合方向への外力を負荷した際、その外力が前記コネクタハウジングと前記リアホルダとの係合箇所に作用され難いので、前記コネクタを嵌合方向に押し込んだ際に前記コネクタハウジングと前記リアホルダとの係合箇所が損傷することを防ぐことができ、しかも、前記端子が前記端子誘導面によって、前記端子を前記端子付き電線の電線が前記弾性係合アームに接触することを阻止しつつ、前記押圧操作用後端面側から前記端子収容室内に誘導することができるので、相手コネクタとの係合部分となる弾性係合アーム、および、コネクタハウジングとリアホルダとの係合箇所が損傷することを防ぐことができ、しかも、端子収容室に端子をスムーズに挿入することができる。
【００１３】
本発明の請求項２に係るコネクタは、前記端子収容室の内壁面を嵌合方向後方に向けて延在した前記延在壁によって前記電線が前記弾性係合アームに接触することを阻止する機能と、前記端子のガイド機能との両方を持たせることができ、しかも、嵌合方向後方に突出した前記後方延在部の後端から前記係合解除操作部の前記冶具挿通孔に向けて前記係合解除用の冶具の先端を前記冶具ガイド面によってガイドさせながら移動することができるので、前記係合解除用の冶具によって前記弾性係合アームによる前記相手コネクタとの係合を解除する作業を容易に行うことができる。
【図面の簡単な説明】
【００１４】
【図１】図１は、本発明の実施例に係るコネクタのコネクタハウジング内に端子付き電線の端子を嵌め込む前の状態を示した斜視図である。
【図２】図２は、ハウジング側係合部とホルダ側係合部とを係合してリアホルダを相手コネクタとの嵌合方向後端側の位置でコネクタハウジングに結合した状態のコネクタを後端側から視た斜視図である。
【図３】図３は、（ａ）がコネクタハウジングの上面図であり、（ｂ）がコネクタハウジングの前面図であり、（ｃ）がコネクタハウジングの後面図である。
【図４】図４は、図３（ｃ）に示したコネクタハウジングのＡ−Ａ線断面斜視図である。
【図５】図５は、図３（ｃ）に示したコネクタハウジングのＢ−Ｂ線断面図である。
【図６】図６は、コネクタハウジングの端子収容室内に端子付き電線の端子を挿入する手順を説明するための説明図である。
【図７】図７は、（ａ）が後方延在部の押圧操作用後端面を押圧操作することによってコネクタを嵌合方向に移動している様子を示した図であり、（ｂ）がコネクタを相手コネクタに嵌合した状態を示した図である。
【図８】図８は、（ａ）が係合解除用の冶具の先端を冶具ガイド面に摺接させながら係合解除操作部の冶具挿通孔に向けて移動している様子を示した図であり、（ｂ）が係合解除用の冶具の先端を係合解除操作部の冶具挿通孔に挿通した状態を示した図である。
【図９】図９は、（ａ）が係合解除用の冶具によって係合解除操作部周辺を撓ませることによって弾性係合アームによる相手コネクタとの係合を解除している様子を示した図であり、（ｂ）が相手コネクタとの係合を解除したコネクタを嵌合方向とは逆の方向に移動している様子を示した図である。
【発明を実施するための形態】
【００１５】
以下、図面を参照して、本発明に係るコネクタの好適な実施例を詳細に説明する。
【実施例】
【００１６】
図１は、本発明の実施例に係るコネクタ１のコネクタハウジング１０内に端子付き電線ＣＷの端子Ｃを嵌め込む前の状態を示した斜視図である。図２は、ハウジング側係合部１３とホルダ側係合部３２ａとを係合してリアホルダ３０を相手コネクタ１００との嵌合方向後端側の位置でコネクタハウジング１０に結合した状態のコネクタを後端側から視た斜視図である。図３は、（ａ）がコネクタハウジング１０の上面図であり、（ｂ）がコネクタハウジング１０の前面図であり、（ｃ）がコネクタハウジング１０の後面図である。図４は、図３（ｃ）に示したコネクタハウジング１０のＡ−Ａ線断面斜視図である。図５は、図３（ｃ）に示したコネクタハウジング１０のＢ−Ｂ線断面図である。
本発明の実施例に係るコネクタ１は、例えば、自動車に配索するワイヤハーネスに用いるものであり、コネクタ嵌合相手となる相手コネクタ１００に係合する部分となる弾性係合アーム１４を含み、かつ、内部に端子付き電線ＣＷの端子Ｃを収容する端子収容室１２を備えたコネクタハウジング１０と、コネクタハウジング１０に設けたハウジング側係合部１３に係合するホルダ側係合部３２ａを係合することによって、相手コネクタ１００との嵌合方向後端側の位置でコネクタハウジング１０に結合するリアホルダ３０と、とを有する。
【００１７】
まず、コネクタハウジング１０について説明する。
コネクタハウジング１０は、例えば、絶縁性の合成樹脂材からなる。このコネクタハウジング１０は、本体部分を構成するハウジング本体部１１と、リアホルダ３０のホルダ側係合部３２ａに係合するハウジング側係合部１３と、弾性係合アーム１４と、嵌合方向に向けて押圧操作可能な押圧操作用後端面２０ａを形成した後方延在部２０と、を有する。
【００１８】
ハウジング本体部１１は、底壁１１ａと、底壁１１ａに向かい合う天井壁１１ｂと、互いに向かい合う一対の側壁１１ｃ、１１ｃと、を有する略角筒状をなし、内部を隔壁１１ｄで分けることによって、２本の端子付き電線ＣＷの端子Ｃを収容する２つの端子収容室１２を設けている。
【００１９】
このハウジング本体部１１は、２つの相手端子挿入口１１ｅを嵌合方向前端面に設けている。これら２つの相手端子挿入口１１ｅは、コネクタ１が相手コネクタ１００とコネクタ嵌合した状態で、相手コネクタ１００に収容した不図示の２つの端子のそれぞれが挿入されて各コネクタハウジング１０に収容した２つの端子Ｃに接続するように形成した開口である。
【００２０】
また、ハウジング本体部１１は、嵌合方向後端面に、端子付き電線ＣＷの２つの端子Ｃを各端子収容室１２に挿入するための開口である２つの端子挿入口１１ｆを設けている。
各端子収容室１２内には、図４および図５に示すように、係止ランス１２ｂを設け、各端子Ｃを端子収容室１２内の所定の位置で係止するようになっている。
【００２１】
ハウジング側係合部１３は、一対の側壁１１ｃ、１１ｃのそれぞれの後端部外壁面側に連結することによって、リアホルダ３０を間に嵌め込むことができるような間隔を開けて向かい合うように設けた一対の係合壁部１３ａ、１３ａを有する。
【００２２】
各係合壁部１３ａ、１３ａは、リアホルダ３０の後述する係合突起３２ａが係合する係合孔１３ｂを形成している。
【００２３】
弾性係合アーム１４は、コネクタハウジング１０の外表面１０ａに嵌合方向後方に先端を向けるようにアーム状に突設した弾性アーム１４ａと、弾性アーム１４ａ上にコネクタ嵌合位置で相手コネクタ１００に係合するように設けた係合突起１４ｂと、弾性アーム１４ａを弾性的に撓ませることによって係合突起１４ｂによる相手コネクタ１００との係合を解除する操作ができるように弾性アーム１４ａに係合解除用の冶具Ｔを挿通する冶具挿通孔１４ｄを形成した係合解除操作部１４ｃと、を有する。
【００２４】
この弾性係合アーム１４は、延在壁２１の後述する端子誘導面２１ａに対して裏側に設けている。
【００２５】
後方延在部２０は、ハウジング側係合部１３に対して嵌合方向Ｄに略直交方向にずれた位置からリアホルダ３０に比して嵌合方向後方に突出することによって嵌合方向Ｄに向けて押圧操作可能な押圧操作用後端面２０ａを形成し、かつ、端子Ｃを端子付き電線ＣＷの電線Ｗが弾性係合アーム１４に接触することを阻止しつつ、押圧操作用後端面２０ａ側から端子収容室１２内に誘導する面となる端子誘導面２１ａを形成する。
【００２６】
この後方延在部２０は、端子収容室１２の内壁面１２ａを嵌合方向後方に向けて延在した延在壁２１を有する。
端子誘導面２１ａは、延在壁２１の内壁面１２ａに連続する面に形成する。
すなわち、延在壁２１は、各端子Ｃを対応する端子収容室１２に挿入するための端子誘導面２１ａを形成している。
より具体的には、延在壁２１は、端子誘導面２１ａが各端子収容室１２の内壁面１２ａを嵌合方向後方に向けて延在するように、ハウジング本体部１１の天井壁１１ｂを嵌合方向後方に延在した壁になっている。
【００２７】
また、後方延在部２０は、延在壁２１の端子誘導面２１ａに対して裏側の面に押圧操作用後端面２０ａを形成する壁２２、２２を設けている。
より具体的には、後方延在部２０は、延在壁２１の端子誘導面２１ａに対して裏側の面に押圧操作用後端面２０ａを形成する壁として延在壁２１の両側縁に沿って一対の補強リブ２２、２２を立設している。
【００２８】
このような後方延在部２０は、延在壁２１と、一部がハウジング本体部１１にかかるように延在壁２１の両側縁に沿って立設した一対の補強リブ２２、２２と、一対の補強リブ２２、２２の間に係合解除用の冶具Ｔを押圧操作用後端面２０ａ側から冶具挿通孔１４ｄまでガイドする冶具ガイド面２３ｂを形成した冶具ガイド部２３と、を有する。
【００２９】
冶具ガイド部２３は、弾性アーム１４ａを係合解除操作部１４ｃからさらに嵌合方向後方に向けて延在した部分によって、係合解除用の冶具Ｔを押圧操作用後端面２０ａ側から冶具挿通孔１４ｄまでガイドする冶具ガイド面２３ｂを形成したものである。
【００３０】
このような冶具ガイド部２３は、延在端２３ａを一対の補強リブ２２、２２の互いに向かい合う面を橋渡すように固定している。
このため、弾性アーム１４ａの基端部から冶具ガイド部２３の延在端２３ａまでの連続した区間が天井壁１１ｂに対して間隔を空けた状態で保持されている。これにより、この弾性アーム１４ａの基端部から冶具ガイド部２３の延在端２３ａまでの連続した区間を天井壁１１ｂに向けて容易に撓ませることができるようになっている。
【００３１】
後方延在部２０は、延在壁２１、一対の補強リブ２２、２２、および、冶具ガイド部２３のそれぞれが押圧操作用後端面２０ａを形成することによって、嵌合方向Ｄに直交する方向に押圧操作用後端面２０ａを拡大するようにしている。
すなわち、後方延在部２０は、延在壁２１、一対の補強リブ２２、２２、および、冶具ガイド部２３のそれぞれの後端面を利用して押圧操作用後端面２０ａを拡大するようにしている。
【００３２】
また、後方延在部２０は、延在壁２１と、一対の補強リブ２２、２２と、弾性アーム１４ａを嵌合方向後方に向けて延在した部分の端部となる延在端２３ａを形成する壁と、によって断面ロの字状の壁からなる押圧操作用後端面２０ａを形成している。このため、後方延在部２０は、剛性の高い構造になっている。
【００３３】
次に、リアホルダ３０について説明する。
リアホルダ３０は、例えば、絶縁性の合成樹脂材からなり、ハウジング本体部１１の後端側の位置でコネクタハウジング１０に結合し、端子収容室１２内に収容した端子Ｃを押圧することによって、端子Ｃがコネクタハウジング１０外に離脱することを防止するようになっている。すなわち、リアホルダ３０は、端子収容室１２内に設けた係止ランス１２ｂと合わせて端子Ｃを端子収容室１２内に２重係止するための機能をなしている。
【００３４】
このリアホルダ３０は、端子収容室１２内に収容した端子Ｃを押圧する面となる端子押圧面３１ａを形成したホルダ底壁３１と、ホルダ底壁３１の両側端部に立設し、係合壁部１３ａの係合孔１３ｂに係合する係合突起３２ａを形成した一対のホルダ側壁３２、３２と、を有する。
【００３５】
また、リアホルダ３０は、嵌合方向後端側の位置でコネクタハウジング１０に結合した状態で、後端面３０ａが、ハウジング側係合部１３の後端面１３ｃと面一になるように嵌合方向の幅を調整している。
より具体的には、リアホルダ３０は、嵌合方向後端側の位置でコネクタハウジング１０に結合した状態で、後端面３０ａが、一対の係合壁部１３ａ、１３ａの後端面１３ｃと面一になるように嵌合方向の幅を調整している。
すなわち、リアホルダ３０が嵌合方向後方に向けてできるだけ突出しないように調整してあるので、後方延在部２０について嵌合方向の幅をできるだけ小さく抑えても、後方延在部２０がリアホルダ３０に比して嵌合方向後方に突出するように調整することができるようになっている。
【００３６】
なお、リアホルダ３０は、ヒンジ部４０を介してコネクタハウジング１０に連結することによって、コネクタハウジング１０に対して係合位置および係合解除位置に可動できるようになっている。
【００３７】
次に、図６を用いてコネクタハウジング１０の端子収容室１２内に端子付き電線ＣＷの端子Ｃを挿入する手順について説明する。
図６は、コネクタハウジング１０の端子収容室１２内に端子付き電線ＣＷの端子Ｃを挿入する手順を説明するための説明図である。
まず、作業者は、端子付き電線ＣＷの端子Ｃを対応する端子収容室１２の端子挿入口１１ｆに向けて移動開始する（図６（ａ））。
この際、端子挿入口１１ｆよりも嵌合方向後方に突出した延在壁２１の端子誘導面２１ａによって端子Ｃを端子挿入口１１ｆまで容易に誘導することができる。
しかも、延在壁２１の端子誘導面２１ａに対して裏側に弾性係合アーム１４を設けているので、延在壁２１が端子付き電線ＣＷの電線Ｗが弾性係合アーム１４に接触することを阻止している。
このように端子誘導面２１ａによって端子収容室１２内に誘導した端子Ｃは、係止ランス１２ｂに係合することによって端子収容室１２内の所定位置に係止される。
また、作業者は、各端子Ｃを端子収容室１２内に収容した後、リアホルダ３０をコネクタハウジング１０に結合することによって、端子Ｃが端子収容室１２内の所定位置で２重係止される。
【００３８】
次に、図７を用いてコネクタ１を相手コネクタ１００にコネクタ嵌合する手順について説明する。
図７は、（ａ）が後方延在部２０の押圧操作用後端面２０ａを押圧操作することによってコネクタ１を嵌合方向Ｄに移動している様子を示した図であり、（ｂ）がコネクタ１を相手コネクタ１００に嵌合した状態を示した図である。
なお、図７は、相手コネクタ１００の外形を仮想線で示している。
【００３９】
まず、作業者は、後方延在部２０の押圧操作用後端面２０ａを押圧操作することによってコネクタ１を嵌合方向Ｄに移動開始する（図７（ａ）参照）。
ここで、押圧操作用後端面２０ａが、コネクタハウジング１０に結合したリアホルダ３０に比して嵌合方向後方に突出した位置に形成されているので、コネクタ嵌合するための作業空間が狭くても、作業者は、冶具等を用いてコネクタ１を嵌合方向に容易に押圧操作することができる。
また、押圧操作用後端面２０ａが、端子付き電線ＣＷの電線Ｗに干渉し難い位置に形成されているので、作業者は、電線Ｗが邪魔にならないように、冶具等を用いてコネクタ１を嵌合方向Ｄに容易に押圧操作することができる。
さらにまた、押圧操作用後端面２０ａが、ハウジング側係合部１３に対して嵌合方向Ｄに略直交方向にずれた位置からリアホルダ３０に比して嵌合方向後方に突出しているので、押圧操作用後端面２０ａに嵌合方向Ｄへの外力を負荷した際、その外力がコネクタハウジング１０とリアホルダ３０との係合箇所に作用され難い。
【００４０】
その後、作業者は、弾性係合アーム１４が相手コネクタ１００に係合完了する位置までコネクタ１を嵌合方向Ｄに移動し、コネクタ１と相手コネクタ１００とをコネクタ嵌合することによってこの作業を終了する。
【００４１】
次に、図８および図９を用いて相手コネクタとコネクタ１とのコネクタ嵌合を解除する手順について説明する。
図８は、（ａ）が係合解除用の冶具Ｔの先端を冶具ガイド面２３ｂに摺接させながら係合解除操作部１４ｃの冶具挿通孔１４ｄに向けて移動している様子を示した図であり、（ｂ）が係合解除用の冶具Ｔの先端を係合解除操作部１４ｃの冶具挿通孔１４ｄに挿通した状態を示した図である。図９は、（ａ）が係合解除用の冶具Ｔによって係合解除操作部１４ｃ周辺を撓ませることによって弾性係合アーム１４による相手コネクタ１００との係合を解除している様子を示した図であり、（ｂ）が相手コネクタ１００との係合を解除したコネクタ１を嵌合方向Ｄとは逆の方向に移動している様子を示した図である。
なお、図８および図９は、相手コネクタ１００の外形を仮想線で示している。
この実施例では、相手コネクタ１００との係合解除操作に用いる係合解除用の冶具Ｔとしてマイナスドライバーを用いているが、係合解除用の冶具Ｔはマイナスドライバーに限らずその他の冶具を用いてもよい。
【００４２】
まず、作業者は、係合解除用の冶具Ｔの先端を冶具ガイド面２３ｂに摺接させながら係合解除操作部１４ｃの冶具挿通孔１４ｄに向けて移動する（図８（ａ）参照）。
ここで、作業者は、嵌合方向後方に突出した後方延在部２０の後端から係合解除操作部１４ｃの冶具挿通孔１４ｄに向けて係合解除用の冶具Ｔの先端を冶具ガイド面２３ｂにガイドさせながら移動することができる。
【００４３】
その後、作業者は、係合解除用の冶具Ｔの先端を係合解除操作部１４ｃの冶具挿通孔１４ｄに挿通すると（図８（ｂ）参照）、係合解除用の冶具Ｔによって係合解除操作部１４ｃ周辺を撓ませることによって弾性係合アーム１４による相手コネクタ１００との係合を解除する（図９（ａ）参照）。
ここで、作業者は、先端を冶具挿通孔１４ｄに挿通した係合解除用の冶具Ｔを弾性係合アーム１４が天井壁１１ｂに向けて撓むように操作すると、係合突起１４ｂが相手コネクタ１００の不図示の係合部分との係合を解除するように移動し、コネクタ１と相手コネクタ１００との係合が解除される。
【００４４】
最後に、作業者は、弾性係合アーム１４による相手コネクタ１００との係合を解除したコネクタ１を嵌合方向Ｄとは逆の方向に移動することによってこの作業を完了する（図９（ｂ）参照）。
【００４５】
本発明の実施例に係るコネクタ１は、押圧操作用後端面２０ａが、ハウジング側係合部１３に対して嵌合方向Ｄに略直交方向にずれた位置からコネクタハウジング１０に結合したリアホルダ３０に比して嵌合方向後方に突出しているので、押圧操作用後端面２０ａに嵌合方向Ｄへの外力を負荷した際、その外力がコネクタハウジング１０とリアホルダ３０との係合箇所に作用され難いので、コネクタ１を嵌合方向Ｄに押し込んだ際にコネクタハウジング１０とリアホルダ３０との係合箇所が損傷することを防ぐことができ、しかも、端子Ｃが端子誘導面２１ａによって、端子Ｃを端子付き電線ＣＷの電線Ｗが弾性係合アーム１４に接触することを阻止しつつ、押圧操作用後端面２０ａ側から端子収容室１２内に誘導することができるので、相手コネクタ１００との係合部分となる弾性係合アーム１４、および、コネクタハウジング１０とリアホルダ３０との係合箇所が損傷することを防ぐことができ、しかも、端子収容室１２に端子Ｃをスムーズに挿入することができる。
【００４６】
また、本発明の実施例に係るコネクタ１は、端子収容室１２の内壁面１２ａを嵌合方向後方に向けて延在した延在壁２１によって電線Ｗが弾性係合アーム１４に接触することを阻止する機能と、端子Ｃのガイド機能との両方を持たせることができ、しかも、嵌合方向後方に突出した後方延在部２０の後端から係合解除操作部１４ｃの冶具挿通孔１４ｄに向けて係合解除用の冶具Tの先端を冶具ガイド面２３ｂによってガイドさせながら移動することができるので、係合解除用の冶具Ｔによって弾性係合アーム１４による相手コネクタ１００との係合を解除する作業を容易に行うことができる。
【００４７】
また、本発明の実施例に係るコネクタ１は、延在壁２１の端子誘導面２１ａに対して裏側の面に押圧操作用後端面２０ａを形成する壁を設けているので、押圧操作用後端面２０ａが、端子付き電線ＣＷの電線Ｗに干渉し難い位置に形成されているので、電線Ｗが邪魔にならないように、コネクタ１を嵌合方向に容易に押圧操作することができる。
【００４８】
また、本発明の実施例に係るコネクタ１は、後方延在部２０が、延在壁２１と、一対の補強リブ２２と、延在端２３ａを形成する壁と、によって断面ロの字状の壁からなる押圧操作用後端面２０ａを形成し、押圧操作用後端面２０ａを形成する壁を剛性が高い構造にしているので、コネクタ１を嵌合方向に安定して押圧操作することができる。
【００４９】
また、本発明の実施例に係るコネクタ１は、リアホルダ３０が嵌合方向後端側の位置でコネクタハウジング１０に結合した状態で、後端面３０ａが、ハウジング側係合部１３の後端面１３ｃと面一になるように嵌合方向Ｄの幅を調整していることにより、リアホルダ３０が嵌合方向後方に向けてできるだけ突出しないように調整してあるので、後方延在部２０の嵌合方向の幅をできるだけ小さく抑えた場合であっても、後方延在部２０をリアホルダ３０に比して嵌合方向後方に突出するように調整することができ、結果的に、コネクタ１の嵌合方向Ｄの幅の増加をできるだけ小さく抑えつつ、後方延在部２０をリアホルダ３０に比して嵌合方向後方に突出するように調整することができる。
【００５０】
なお、本発明の実施例に係るコネクタは、リアホルダ３０がヒンジ部４０を介してコネクタハウジング１０に連結するものを例示したが、リアホルダ３０とコネクタハウジング１０とを連結する構造に限定しない。例えば、リアホルダ３０と、コネクタハウジングとを別体で設ける構造にしてもよい。
【００５１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５２】
１、２、３    コネクタ
１０          コネクタハウジング
１０ａ        外表面
１１          ハウジング本体部
１１ａ        底壁
１１ｂ        天井壁
１１ｃ        側壁
１１ｄ        隔壁
１１ｅ        相手端子挿入口
１１ｆ        端子挿入口
１２          端子収容室
１２ａ        内壁面
１２ｂ        係止ランス
１３          ハウジング側係合部
１３ａ        係合壁部
１３ｂ        係合孔
１３ｃ        後端面
１４          弾性係合アーム
１４ａ        弾性アーム
１４ｂ        係合突起
１４ｃ        係合解除操作部
１４ｄ        冶具挿通孔
２０          後方延在部
２０ａ        押圧操作用後端面
２１          延在壁
２１ａ        端子誘導面
２２          補強リブ（壁）
２３          冶具ガイド部
２３ａ        延在端
２３ｂ        冶具ガイド面
２４          壁
３０          リアホルダ
３０ａ        後端面
３１          ホルダ底壁
３１ａ        端子押圧面
３２          ホルダ側壁
３２ａ        係合突起（ホルダ側係合部）
４０          ヒンジ部
１００        相手コネクタ
ＣＷ          端子付き電線
Ｃ            端子
Ｗ            電線
【図１】
2017016963.tif 000003
【図２】
2017016963.tif 000004
【図３】
2017016963.tif 000005
【図４】
2017016963.tif 000006
【図５】
2017016963.tif 000007
【図６】
2017016963.tif 000008
【図７】
2017016963.tif 000009
【図８】
2017016963.tif 000010
【図９】
2017016963.tif 000011